【事件の表示】
　特許第３６５８５５４号に関する訂正審判事件について、次のとおり審決する。
【結　論】
　特許第３６５８５５４号に係る明細書を本件審判請求書に添付された訂正明細書のとおり訂正することを認める。
【理　由】
　
１．請求の要旨　
　
　本件審判の請求の要旨は，特許第３６５８５５４号発明（平成１７年３月１８日設定登録）の明細書を，審判請求書に添付した訂正明細書のとおり，すなわち，下記のとおり訂正することを求めるものである（「下線」は当審記載）。 
　
 ＜訂正事項ａ＞ 
　特許請求の範囲の【請求項１】に記載の， 
 「判定開始条件の成立に起因して当否状態を判定し，前記当否の判定結果に応じて表示装置に表示する図柄を決定し，前記当否の判定結果が当りとなったことに起因して特別遊技を実行する主制御手段と，前記主制御手段から送信される図柄データを記憶すると共に，前記図柄データに基いて，少なくとも前記特別遊技実行中に表示装置の画面へ当り図柄を表示する表示制御手段とを備えた遊技機において，　
前記表示装置に表示される当り図柄には，前記特別遊技実行終了後に前記特別遊技とは異なる特別の遊技価値を遊技者に対して与える第１の当り図柄と，前記特別の遊技価値を遊技者に対して与えない第２の当り図柄とが含まれ，　
前記当否の判定結果が当りと判定され，前記表示制御手段が前記主制御手段から送信される当り図柄の図柄データを記憶してから後，前記特別遊技実行終了までの間に，前記表示制御手段に異常が発生した場合に，前記異常の発生によって入力されるリセット信号により，前記表示制御手段が初期化を行って前記当り図柄の図柄データをクリアし，初期設定において前記第２の当り図柄を示す図柄データを初期値として設定し，前記異常から復帰した前記特別遊技実行中の前記表示装置の画面に，前記初期値として設定された前記第２の当り図柄を示す図柄データに対応した前記第２の当り図柄を表示することを特徴とする遊技機。」　
　を， 
 「判定開始条件の成立に起因して当否状態を判定し，前記当否の判定結果に応じ
た図柄を
させるための図柄コマンド
コマンド
コマンド
前記表示装置に表示される当り図柄には，前記特別遊技実行終了後に前記特別遊技とは異なる特別の遊技価値を遊技者に対して与える第１の当り図柄と，前記特別の遊技価値を遊技者に対して与えない第２の当り図柄とが含まれ，　
前記当否の判定結果が当りと判定され，前記表示制御手段が前記主制御手段から送信され
た前記図柄コマンドデータに基づいて表示す
　と訂正する。 
　
＜訂正事項ｂ＞　
　特許請求の範囲の【請求項４】に記載の， 
 「前記主制御装置は，判定開始条件の成立に起因して前記当否状態を判定すると共に変動パターンデータを設定し，設定した変動パターンデータを前記表示制御手段に送信し，前記表示制御手段は，前記変動パターンデータを受信することにより前記表示装置において前記図柄の変動を開始するように構成され，前記主制御手段から前記表示制御手段へ送信される前記当否の判定結果に応じた前記図柄データは，前記変動パターンデータの送信時にのみ送信されるものであることを特徴とする請求項１乃至３のうちのいずれか１つに記載の遊技機。」　
　を， 
 「前記主制御装置は，判定開始条件の成立に起因して前記当否状態を判定すると共に変動パターンデータを設定し，設定した変動パターンデータを前記表示制御手段に送信し，前記表示制御手段は，前記変動パターンデータを受信することにより前記表示装置において前記図柄の変動を開始するように構成され，前記主制御手段から前記表示制御手段へ送信される前記当否の判定結果に応じた前記図柄
コマンド
　と訂正する。 
　
＜訂正事項ｃ＞　
　明細書の段落【０００６】に記載の，　
　「【課題を解決するための手段】　
  請求項１に記載の遊技機は，判定開始条件の成立に起因して当否状態を判定し，前記当否の判定結果に応じて表示装置に表示する図柄を決定し，前記当否の判定結果が当りとなったことに起因して特別遊技を実行する主制御手段と，前記主制御手段から送信される図柄データを記憶すると共に，前記図柄データに基いて，少なくとも前記特別遊技中に表示装置の画面へ当り図柄を表示する表示制御手段とを備えたものであって，上記課題を解決するために，前記表示装置に表示される当り図柄には，前記特別遊技実行終了後に前記特別遊技とは異なる特別の遊技価値を遊技者に対して与える第１の当り図柄と，前記特別の遊技価値を遊技者に対して与えない第２の当り図柄とが含まれ，前記当否の判定結果が当りと判定され，前記表示制御手段が前記主制御手段から送信される当り図柄の図柄データを記憶してから後，前記特別遊技実行終了までの間に，前記表示制御手段に異常が発生した場合に，前記異常の発生によって入力されるリセット信号により，前記表示制御手段が初期化を行って前記当り図柄の図柄データをクリアし，初期設定において前記第２の当り図柄を示す図柄データを初期値として設定し，前記異常から復帰した前記特別遊技実行中の前記表示装置の画面に，前記初期値として設定された前記第２の当り図柄を示す図柄データに対応した前記第２の当り図柄を表示することを特徴とする。」　
　を，　
　「【課題を解決するための手段】　
  請求項１に記載の遊技機は，判定開始条件の成立に起因して当否状態を判定し，前記当否の判定結果に応
じた図柄を
させるための図柄コマンド
コマンド
コマンド
た前記図柄コマンドデータに基づいて表示す
　と訂正する。　
　
＜訂正事項ｄ＞　
　明細書の段落【０００９】に記載の，　
　「請求項４に記載の遊技機は，請求項１乃至３のうちのいずれか１つに記載のものにおいて，前記主制御装置は，判定開始条件の成立に起因して前記当否状態を判定すると共に変動パターンデータを設定し，設定した変動パターンデータを前記表示制御手段に送信し，前記表示制御手段は，前記変動パターンデータを受信することにより前記表示装置において前記図柄の変動を開始するように構成され，前記主制御手段から前記表示制御手段へ送信される前記当否の判定結果に応じた前記図柄データは，前記変動パターンデータの送信時にのみ送信されるものであることを特徴とするものである。」　
　を，　
　「請求項４に記載の遊技機は，請求項１乃至３のうちのいずれか１つに記載のものにおいて，前記主制御装置は，判定開始条件の成立に起因して前記当否状態を判定すると共に変動パターンデータを設定し，設定した変動パターンデータを前記表示制御手段に送信し，前記表示制御手段は，前記変動パターンデータを受信することにより前記表示装置において前記図柄の変動を開始するように構成され，前記主制御手段から前記表示制御手段へ送信される前記当否の判定結果に応じた前記図柄
コマンド
　と訂正する。　
　
＜訂正事項ｅ＞　
　明細書の段落【００１２】に記載の，　
　「【発明の実施の形態】　
以下，本発明の実施の形態を図面を参照して説明する。なお，本実施形態では，遊技機の一態様としてカード式パチンコ遊技機を用いて説明するが，本発明はカード式パチンコ遊技機に限らず，例えば，コイン遊技機やスロットマシン等であってもよく，判定開始条件の成立に起因して当否状態を判定し，当否の判定結果に応じて表示装置に表示する図柄を決定し，当否の判定結果が当りとなったことに起因して特別遊技を実行する主制御手段と，主制御手段から送信される図柄データを記憶すると共に，図柄データに基いて，少なくとも特別遊技中に表示装置の画面へ当り図柄を表示する表示制御手段とを備えた遊技機であれば，すべて対象となる。」　
　を，　
　「【発明の実施の形態】　
以下，本発明の実施の形態を図面を参照して説明する。なお，本実施形態では，遊技機の一態様としてカード式パチンコ遊技機を用いて説明するが，本発明はカード式パチンコ遊技機に限らず，例えば，コイン遊技機やスロットマシン等であってもよく，判定開始条件の成立に起因して当否状態を判定し，当否の判定結果に応じ
た図柄を
させるための図柄コマンド
コマンド
コマンド
　と訂正する。　
　
＜訂正事項ｆ＞　
　明細書の段落【００７５】に記載の，　
　「【発明の効果】　
  請求項１に記載の構成によれば，表示制御手段が主制御手段から送信される当り図柄の図柄データを記憶してから後，特別遊技実行終了までの間に，表示制御手段に異常が発生した場合に，異常から復帰した特別遊技実行中の表示装置の画面に，遊技者に対して特別の遊技価値を与えない第２の当り図柄を表示装置に表示するので，実際の主制御手段の値が第１の図柄であろうと或いは第２の図柄であろうと，遊技者が損をした気分にさせることなく遊技を行わせることができ，結果として，遊技店と遊技客とのトラブルの発生を防止することができる。」　
　を，　
　「【発明の効果】　
  請求項１に記載の構成によれば，表示制御手段が主制御手段から送信され
た図柄コマンドデータに基づいて表示す
　と訂正する。　
　
　 
２．当審の判断　
 　
（１）訂正事項ａについて　
　訂正前の【請求項１】の記載は，主制御手段が決定するのは「図柄」と表記し，主制御手段が表示制御手段に送信するのは「図柄データ」と表記し，表示制御手段が表示のために記憶するとともに異常発生時には初期値に設定するのも「図柄データ」と表記している。　
　しかしながら，表示すべき図柄の決定から実際の表示処理までを主制御手段と表示制御手段とが分担することからすれば，主制御手段が「図柄」を表示用の画像データとして送信し，表示制御手段は送信された画像データをそのまま用いるだけであると考えることは，実際上不合理であることが明らかである。そのため，訂正前の請求項１における上記の記載は不明りようであるものの，実際上は請求項１において，主制御手段が従属的に機能する表示制御手段に対して送信するのは，表示制御手段の動作を指定する指示情報であり，表示制御手段は当該指示情報に対応して，表示のための画像データを選択して記憶するものと，理解できたというべきである。　
　また，願書に添付した明細書及び図面に照らしても，特許明細書の段落【００５７】には，「メインＣＰＵ」から「表示ＣＰＵ」へと送信されるのが「停止図柄のコマンド」であることが示され，これに対応して「図柄ＲＡＭ」に「図柄データ」が設定され，異常発生時には該「図柄データ」が初期値に設定されることが，特許明細書の段落【００６７】にも示されている。そのため，上述したように請求項１の実際上の動作を理解することは，必ずしも明りようでない訂正前の請求項１の記載の理解として，合理的であるだけでなく，明細書の記載にも合致するものということができる。　
　そのため，訂正事項ａは，請求項１において，主制御手段が実際に決定するのは「図柄コマンド」であり，主制御手段が表示制御手段に送信するのは「図柄コマンドデータ」であり，表示制御手段が表示のために選択して記憶するのは「図柄コマンドデータ」に基づく「図柄データ」であり，表示制御手段が異常発生時に初期値に設定するのも「図柄データ」である，という実際上の関係を明りようとしたものであり，請求項１の実際上の意味内容を変更するものではないと認めることができる。　
　なお，請求人は訂正事項ａの訂正目的について，明りようでない記載を釈明するとともに，訂正前の発明を減縮するものである旨を述べているが，先に述べたとおり，訂正前後において請求項１の実際上の意味内容に変化が生じたという程のことはないから，訂正目的は訂正前の発明を減縮するものではなく，明りようでない記載の釈明と扱って差し支えない。　　
　したがって，訂正事項ａは，特許法１２６条１項ただし書３号に掲げる事項を目的としたものと認める。　
　そして，訂正事項ａは，上述したように，実際上の意味内容を変更するものではないとともに，特許明細書の記載にも合致しているから，願書に添付した明細書又は図面に記載した事項の範囲内においてされたものである。また，実質的に特許請求の範囲を拡張又は変更するものでもない。　
　すなわち，訂正事項ａは，特許法１２６条３項及び４項の規定にも適合する。　
　
（２）訂正事項ｂについて　
　訂正事項ｂは【請求項４】についての訂正であるが，主制御手段から表示制御手段へと送信されるデータが，訂正前には「図柄データ」と記載されていたところ，訂正後には「図柄コマンドデータ」と改められた点で，【請求項１】に関する訂正事項ａと整合する訂正により，不明りような記載を釈明したものと認めることができる。　
　したがって，訂正事項ｂは，特許法１２６条１項ただし書３号に掲げる事項を目的としたものと認める。　
　そして，訂正事項ｂは，（１）において訂正事項ａについて述べたと同じ理由から，特許法１２６条３項及び４項の規定にも適合する。　　
　
（３）訂正事項ｃ，ｄ，ｅ，ｆについて　
　訂正事項ｃ，ｄ，ｅ，ｆは，いずれも，明細書の発明の詳細な説明における記載を，上述した訂正事項ａ及びｂと整合する形で，明りようとしたものである。そのため，（１）〜（２）において訂正事項ａ及びｂについて述べたとおりの理由で，明りようでない記載の釈明を目的としたものと認めることができる。　
　すなわち，訂正事項ｃ，ｄ，ｅ及びｆは，いずれも特許法１２６条１項ただし書３号に掲げる事項を目的としたものと認める。　
　また，訂正事項ｃ，ｄ，ｅ及びｆは，（１）〜（２）で述べたと同じ理由で，特許法１２６条３項及び４項の規定にも適合する。　
　
（４）付記　
　訂正事項ａ〜ｆは，上述したとおり，いずれも明りようでない記載の釈明を目的としたものと認めることができ，特許法１２６条１項ただし書１号または２号に掲げる事項を目的としたものではないから，同法同条５項の適用はない。　
　そのため，訂正後における特許請求の範囲に記載されている事項により特定される発明が，特許出願の際に独立して特許を受けることができたか否かを，あらためて検討することは，訂正許否の要件とはならない。　
　
　
３．むすび 
　
　以上のとおりであるから，本件訂正は，特許法第１２６条１項ただし書３号に掲げる事項を目的とし，かつ，同条３項及び４項の規定に適合する。 
　よって，結論のとおり審決する。